(57)【要約】【課題】ユーザーによる操作により、複数の指向性スピーカーが音声を出力する対象となる領域を変更可能な映像表示機器を提供する。【解決手段】操作部１０はユーザーＵ１による操作であるユーザー操作を受付ける。複数の指向性スピーカー９の各々は、指向性音声Ｖ１を画面７ｓと対向するエリアへ出力する機能を有する。複数の指向性スピーカー９がそれぞれ出力する複数の指向性音声Ｖ１が互いに干渉しないように、当該複数の指向性スピーカー９は配置されている。各指向性スピーカー９の状態には、指向性スピーカー９が指向性音声Ｖ１を出力可能なＯＮ状態と、指向性スピーカー９が当該指向性音声Ｖ１を出力不可能なＯＦＦ状態とが存在する。スピーカー設定部２０は、ユーザー操作に基づいて、複数の指向性スピーカー９に含まれるｋ個の指向性スピーカー９の状態を、ＯＮ状態またはＯＦＦ状態に設定する機能を有する。【選択図】図３
2020161939.tif 000002
【特許請求の範囲】
【請求項１】
映像を表示するための画面を有する映像表示機器であって、
前記画面に映像を表示する表示部と、
複数の指向性スピーカーと、
前記複数の指向性スピーカーの一部または全てを制御するための、ユーザーによる操作であるユーザー操作を受付ける操作部と、を備え、
前記複数の指向性スピーカーの各々は、指向性を有する音声である指向性音声を前記画面と対向するエリアへ出力する機能を有し、
前記複数の指向性スピーカーがそれぞれ出力する複数の前記指向性音声が互いに干渉しないように、当該複数の指向性スピーカーは配置されており、
各前記指向性スピーカーの状態には、当該指向性スピーカーが前記指向性音声を出力可能なＯＮ状態と、当該指向性スピーカーが当該指向性音声を出力不可能なＯＦＦ状態とが存在し、
前記映像表示機器は、さらに、
前記ユーザー操作に基づいて、前記複数の指向性スピーカーに含まれるｋ（１以上の整数）個の指向性スピーカーの状態を、前記ＯＮ状態または前記ＯＦＦ状態に設定する機能を有するスピーカー設定部を備える、
映像表示機器。
【請求項２】
前記映像表示機器は、さらに、
前記エリアにおける前記ユーザーの位置を特定する位置特定部を備え、
前記スピーカー設定部は、特定された前記ユーザーの位置に基づいて、前記複数の指向性スピーカーの各々の状態を、前記ＯＮ状態または前記ＯＦＦ状態に設定する、
請求項１に記載の映像表示機器。
【請求項３】
前記スピーカー設定部は、
（ａ１）前記複数の指向性スピーカーのうち、特定された前記ユーザーの位置に対応する指向性スピーカーの状態を前記ＯＮ状態に設定し、
（ａ２）前記複数の指向性スピーカーのうち、特定された前記ユーザーの位置に対応しない指向性スピーカーの状態を前記ＯＦＦ状態に設定する、
請求項２に記載の映像表示機器。
【請求項４】
前記ユーザーの位置に対応する前記指向性スピーカーの状態が前記ＯＮ状態に設定された後に、前記複数の指向性スピーカーのうち特定の指向性スピーカーの状態を前記ＯＮ状態または前記ＯＦＦ状態に設定するための前記ユーザー操作を前記操作部が受付けた場合、前記スピーカー設定部は、当該特定の指向性スピーカーの状態を当該ＯＮ状態または当該ＯＦＦ状態に設定する、
請求項３に記載の映像表示機器。
【請求項５】
前記スピーカー設定部は、前記位置特定部により特定された前記ユーザーの位置と前記ユーザー操作とに基づいて、前記複数の指向性スピーカーの各々の状態を、前記ＯＮ状態または前記ＯＦＦ状態に設定する、
請求項２に記載の映像表示機器。
【請求項６】
前記位置特定部は、予め設定された時間毎に前記エリアにおける前記ユーザーの位置を特定し、
前記スピーカー設定部は、前記位置特定部により前記ユーザーの位置が特定される度に、特定された当該ユーザーの位置に基づいて、前記複数の指向性スピーカーの各々の状態を、前記ＯＮ状態または前記ＯＦＦ状態に設定する、
請求項２に記載の映像表示機器。
【請求項７】
前記位置特定部は、予め設定された時間毎に前記エリアにおける前記ユーザーの位置を特定し、
前記スピーカー設定部は、前記位置特定部により前記ユーザーの位置が特定される度に、特定された当該ユーザーの位置と、前記ユーザー操作とに基づいて、前記複数の指向性スピーカーの各々の状態を、前記ＯＮ状態または前記ＯＦＦ状態に設定する、
請求項２に記載の映像表示機器。
【請求項８】
前記複数の指向性スピーカーが水平方向に並ぶように、当該複数の指向性スピーカーは配置されている、
請求項１から７のいずれか１項に記載の映像表示機器。
【発明の詳細な説明】
【技術分野】
【０００１】
本発明は、指向性スピーカーを備える映像表示機器に関する。
【背景技術】
【０００２】
駅のホーム、コンコース等において、通常のスピーカーから音声を出力した場合、当該音声が拡散し、当該音声が聞こえない状況が発生する場合がある。当該音声は、例えば、業務に関する音声である。
【０００３】
そこで、指向性スピーカーを利用した構成が使用される場合がある。指向性スピーカーは、ある特定の方向にのみ音声を出力可能なスピーカーである。特許文献１には、映像伝送システムにおいて指向性スピーカーを使用した構成（以下、「関連構成Ａ」ともいう）が開示されている。
【先行技術文献】
【特許文献】
【０００４】
【特許文献１】特開２０１２−１７００８９号公報
【発明の概要】
【発明が解決しようとする課題】
【０００５】
複数の指向性スピーカーから音声を出力する映像表示機器が存在する。このような映像表示機器では、一般的に、当該複数の指向性スピーカーが音声を出力する対象となる領域は固定されている。
【０００６】
そこで、ユーザーによる操作により、複数の指向性スピーカーが音声を出力する対象となる領域を変更可能なことが要求される。関連構成Ａでは、この要求を満たすことはできない。
【０００７】
本発明は、このような問題を解決するためになされたものであり、ユーザーによる操作により、複数の指向性スピーカーが音声を出力する対象となる領域を変更可能な映像表示機器を提供することを目的とする。
【課題を解決するための手段】
【０００８】
上記目的を達成するために、本発明の一態様に係る映像表示機器は、映像を表示するための画面を有する。前記映像表示機器は、前記画面に映像を表示する表示部と、複数の指向性スピーカーと、前記複数の指向性スピーカーの一部または全てを制御するための、ユーザーによる操作であるユーザー操作を受付ける操作部と、を備え、前記複数の指向性スピーカーの各々は、指向性を有する音声である指向性音声を前記画面と対向するエリアへ出力する機能を有し、前記複数の指向性スピーカーがそれぞれ出力する複数の前記指向性音声が互いに干渉しないように、当該複数の指向性スピーカーは配置されており、各前記指向性スピーカーの状態には、当該指向性スピーカーが前記指向性音声を出力可能なＯＮ状態と、当該指向性スピーカーが当該指向性音声を出力不可能なＯＦＦ状態とが存在し、前記映像表示機器は、さらに、前記ユーザー操作に基づいて、前記複数の指向性スピーカーに含まれるｋ（１以上の整数）個の指向性スピーカーの状態を、前記ＯＮ状態または前記ＯＦＦ状態に設定する機能を有するスピーカー設定部を備える。
【発明の効果】
【０００９】
本発明によれば、操作部は、ユーザーによる操作であるユーザー操作を受付ける。前記複数の指向性スピーカーの各々は、指向性音声を前記画面と対向するエリアへ出力する機能を有する。前記複数の指向性スピーカーがそれぞれ出力する複数の前記指向性音声が互いに干渉しないように、当該複数の指向性スピーカーは配置されている。各前記指向性スピーカーの状態には、当該指向性スピーカーが前記指向性音声を出力可能なＯＮ状態と、当該指向性スピーカーが当該指向性音声を出力不可能なＯＦＦ状態とが存在する。スピーカー設定部は、前記ユーザー操作に基づいて、前記複数の指向性スピーカーに含まれるｋ個の指向性スピーカーの状態を、前記ＯＮ状態または前記ＯＦＦ状態に設定する機能を有する。
【００１０】
これにより、前記ユーザー操作に基づいて、前記複数の指向性スピーカーに含まれるｋ個の指向性スピーカーの状態を、前記ＯＮ状態または前記ＯＦＦ状態に設定することができる。そのため、例えば、複数の指向性スピーカーに含まれる特定の指向性スピーカーの状態がＯＦＦ状態に設定された場合、当該特定の指向性スピーカは、指向性音声が出力不可能となる。
【００１１】
したがって、複数の指向性スピーカーが音声を出力する対象となる領域が変化する。その結果、ユーザーによる操作により、複数の指向性スピーカーが音声を出力する対象となる領域を変更することができる。
【図面の簡単な説明】
【００１２】
【図１】実施の形態１に係る映像表示機器の外観を示す斜視図である。
【図２】実施の形態１に係る映像表示機器の上面図である。
【図３】実施の形態１に係る映像表示機器の構成を示すブロック図である。
【図４】実施の形態１に係るスイッチ部の構成を示す図である。
【図５】実施の形態１に係る音声制御処理のフローチャートである。
【図６】感知エリアにユーザーが存在する状態を示す図である。
【図７】映像表示機器の特徴的な機能構成を示すブロック図である。
【図８】映像表示機器のハードウエア構成図である。
【発明を実施するための形態】
【００１３】
以下、図面を参照しつつ、実施の形態について説明する。以下の図面では、同一の各構成要素には同一の符号を付してある。同一の符号が付されている各構成要素の名称および機能は同じである。したがって、同一の符号が付されている各構成要素の一部についての詳細な説明を省略する場合がある。
【００１４】
＜実施の形態１＞
図１は、実施の形態１に係る映像表示機器１００の外観を示す斜視図である。映像表示機器１００は、映像を表示する機器である。映像表示機器１００は、例えば、テレビジョン受信機である。
【００１５】
図１において、Ｘ方向、Ｙ方向およびＺ方向は、互いに直交する。以下の図に示されるＸ方向、Ｙ方向およびＺ方向も、互いに直交する。以下においては、Ｘ方向と、当該Ｘ方向の反対の方向（−Ｘ方向）とを含む方向を「Ｘ軸方向」ともいう。また、以下においては、Ｙ方向と、当該Ｙ方向の反対の方向（−Ｙ方向）とを含む方向を「Ｙ軸方向」ともいう。また、以下においては、Ｚ方向と、当該Ｚ方向の反対の方向（−Ｚ方向）とを含む方向を「Ｚ軸方向」ともいう。
【００１６】
また、以下においては、Ｘ軸方向およびＹ軸方向を含む平面を、「ＸＹ面」ともいう。また、以下においては、Ｘ軸方向およびＺ軸方向を含む平面を、「ＸＺ面」ともいう。また、以下においては、Ｙ軸方向およびＺ軸方向を含む平面を、「ＹＺ面」ともいう。
【００１７】
図２は、実施の形態１に係る映像表示機器１００の上面図である。なお、図２では、後述の人感センサーＳｎ１および後述の指向性スピーカー９の輪郭を点線で示している。
【００１８】
図１および図２を参照して、映像表示機器１００は、映像を表示するための画面７ｓを有する。映像表示機器１００は、筐体Ｃｈ１と、人感センサーＳｎ１と、表示部７と、複数の指向性スピーカー９とを備える。筐体Ｃｈ１には、人感センサーＳｎ１と、表示部７と、複数の指向性スピーカー９とが設けられている。
【００１９】
なお、図１および図２では、一例として、８個の指向性スピーカー９が示されている。なお、映像表示機器１００が備える指向性スピーカー９の数は、８に限定されず、２から７のいずれかの値、または、９以上であってもよい。各指向性スピーカー９は、指向性音声Ｖ１を出力する機能を有する。指向性音声Ｖ１は、指向性を有する音声である。各指向性スピーカー９は、特定方向にのみ、指向性音声Ｖ１を出力する機能を有する。
【００２０】
複数の指向性スピーカー９がそれぞれ出力する複数の指向性音声Ｖ１が互いに干渉しないように、当該複数の指向性スピーカー９は配置されている。また、複数の指向性スピーカー９が水平方向（Ｘ軸方向）に並ぶように、当該複数の指向性スピーカー９は配置されている。すなわち、複数の指向性スピーカー９は、水平方向に一列に並べられている。８個の指向性スピーカー９は、一例として、筐体Ｃｈ１の下部に設けられている。なお、複数の指向性スピーカー９が存在する位置は、筐体Ｃｈ１の下部に限定されない。複数の指向性スピーカー９は、筐体Ｃｈ１の上部において、水平方向に一列に並べられてもよい。
【００２１】
以下においては、画面７ｓと対向するエリアを、「エリアＡｒ０」ともいう。複数の指向性スピーカー９の各々は、指向性音声Ｖ１をエリアＡｒ０へ出力する機能を有する。図２のように、エリアＡｒ０は、映像表示機器１００（画面７ｓ）の前面側に存在するエリアである。なお、エリアＡｒ０の高さは、例えば、筐体Ｃｈ１の高さと同じである。
【００２２】
エリアＡｒ０は、エリアＡ１，Ａ２，Ａ３，Ａ４，Ａ５，Ａ６，Ａ７，Ａ８を含む。エリアＡ１，Ａ２，Ａ３，Ａ４，Ａ５，Ａ６，Ａ７，Ａ８の各々は、平面視（ＸＹ面）において、互いに重複しないように設定される。エリアＡ１，Ａ２，Ａ３，Ａ４，Ａ５，Ａ６，Ａ７，Ａ８の各々は、複数の指向性スピーカー９のいずれかが指向性音声Ｖ１を出力可能な範囲に相当する。エリアＡ１，Ａ２，Ａ３，Ａ４，Ａ５，Ａ６，Ａ７，Ａ８は、８個の指向性スピーカー９がそれぞれ出力する８個の指向性音声Ｖ１が通過するエリアである。
【００２３】
以下においては、８個の指向性スピーカー９を、それぞれ、指向性スピーカー９ａ，９ｂ，９ｃ，９ｄ，９ｅ，９ｆ，９ｇ，９ｈともいう。図２において、例えば、エリアＡ３は、指向性スピーカー９ｃが出力する指向性音声Ｖ１が通過するエリアである。
【００２４】
以下においては、ユーザーを、「ユーザーＵ１」ともいう。人感センサーＳｎ１は、筐体Ｃｈ１の上部に設けられている。人感センサーＳｎ１は、人（ユーザーＵ１）を検出する機能を有する。以下においては、人感センサーＳｎ１が、ユーザーＵ１を検出可能なエリアを、「感知エリアＡｒ１」ともいう。
【００２５】
図１および図２には、感知エリアＡｒ１が示されている。なお、感知エリアＡｒ１がエリアＡｒ０に含まれるように、当該感知エリアＡｒ１の位置は設定される。そのため、感知エリアＡｒ１は、映像表示機器１００（画面７ｓ）の前面側に存在するエリアである。すなわち、感知エリアＡｒ１は、画面７ｓと対向するエリアである。また、図１および図２は、感知エリアＡｒ１にユーザーＵ１が存在する状態を示している。
【００２６】
なお、感知エリアＡｒ１は、図１および図２に示されるエリアに限定されない。例えば、感知エリアＡｒ１の形状およびサイズが、エリアＡｒ０と同じとなるように、人感センサーＳｎ１は構成されてもよい。
【００２７】
表示部７は、例えば、液晶表示パネルである。表示部７は、画面７ｓを有する。表示部７は、画面７ｓに映像を表示する機能を有する。
【００２８】
次に、映像表示機器１００の内部構成について説明する。図３は、実施の形態１に係る映像表示機器１００の構成を示すブロック図である。なお、図３には、映像表示機器１００に含まれない後述の信号供給装置５０も示されている。
【００２９】
図３を参照して、映像表示機器１００は、さらに、チューナー部３、信号受信部４、メイン制御部５、映像出力部６、音声出力部８、操作部１０、スピーカー設定部２０および位置特定部３０を備える。
【００３０】
映像表示機器１００は、アンテナＡｔ１および信号供給装置５０に接続されている。映像表示機器１００は、例えば、同軸ケーブル等により、アンテナＡｔ１と接続されている。
【００３１】
チューナー部３は、アンテナＡｔ１から同軸ケーブル等を介して、デジタル放送信号を含んだＲＦ（Ｒａｄｉｏ  Ｆｒｅｑｕｅｎｃｙ）信号を受信する。チューナー部３は、受信したＲＦ信号から必要な信号を抽出し、当該信号を、メイン制御部５へ送信する。なお、図３の構成では、チューナー部３の出力数は１であるが、チューナー部３の出力数は２以上あってもよい。
【００３２】
映像表示機器１００は、有線により、信号供給装置５０と接続されている。当該有線は、例えば、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）ケーブル、ネットワークケーブル等である。なお、「ＨＤＭＩ」は登録商標である。
【００３３】
信号供給装置５０は、コンテンツ信号を信号受信部４へ送信する機能を有する。コンテンツ信号は、映像（映像信号）および音声（音声信号）を含む。すなわち、コンテンツ信号は、映像音声信号である。信号供給装置５０は、ＤＶＤ（Ｄｅｇｉｔａｌ  Ｖｉｄｅｏ  Ｄｉｓｃ）プレーヤー、ＢＤ（Ｂｌｕ―ｒａｙ（登録商標）  Ｄｉｓｃ）プレーヤー、家庭用ゲーム機等である。なお、信号供給装置５０が送信するコンテンツ信号は、インターネットにおいて配信される動画を含む信号であってもよい。
【００３４】
信号受信部４は、受信したコンテンツ信号に対し信号処理を行い、当該コンテンツ信号を、メイン制御部５へ送信する。なお、図３の構成では、信号受信部４の入力数は１であるが、信号受信部４の入力数は１に限定されず、２以上であってもよい。また、信号受信部４が存在する場合、映像表示機器１００は、チューナー部３を備えなくてもよい。
【００３５】
メイン制御部５は、チューナー部３および信号受信部４の両方または一方からコンテンツ信号を受信する。なお、メイン制御部５が、チューナー部３および信号受信部４の両方からコンテンツ信号を受信する場合、当該メイン制御部５は、切り替え処理を行う。切り替え処理は、メイン制御部５が、受信した２つのコンテンツ信号のうちの１つのコンテンツ信号を、信号処理を行う対象の信号に設定する処理である。
【００３６】
メイン制御部５は、受信したコンテンツ信号に対し信号処理を行い、当該コンテンツ信号から得られた映像信号および音声信号を、それぞれ、映像出力部６および音声出力部８へ送信する。
【００３７】
映像出力部６は、メイン制御部５から受信した映像信号を映像出力信号に変換し、当該映像出力信号を表示部７へ送信する。映像出力信号は、表示部７が使用可能なフォーマット形式の信号である。表示部７は、映像出力信号に基づいて、映像を表示する。
【００３８】
以下においては、複数の指向性スピーカー９の一部または全てを制御するための、ユーザーによる操作を「ユーザー操作」ともいう。ユーザー操作は、たとえば、本体スイッチ（図示せず）、リモコン等に対し行われる、当該本体スイッチは、例えば、筐体Ｃｈ１に設けられている。操作部１０は、ユーザー操作を受付ける機能を有する。
【００３９】
操作部１０は、ユーザー操作を受付けた場合、当該ユーザー操作に対応する操作信号をスピーカー設定部２０（後述のセレクター１３）へ送信する。
【００４０】
詳細は後述するが、位置特定部３０は、感知エリアＡｒ１におけるユーザーＵ１の位置を特定する機能を有する。
【００４１】
位置特定部３０は、前述の人感センサーＳｎ１と、センサー信号処理部１２と含む。人感センサーＳｎ１は、ユーザーＵ１を検出した場合、当該ユーザーＵ１の位置を示す検出信号を、センサー信号処理部１２へ送信する。センサー信号処理部１２は、当該検出信号により、ユーザーＵ１の位置を特定する。センサー信号処理部１２は、ユーザーＵ１の位置を示す位置情報を、セレクター１３へ送信する。
【００４２】
なお、各指向性スピーカー９の状態には、ＯＮ状態と、ＯＦＦ状態とが存在する。ＯＮ状態は、指向性スピーカー９が指向性音声Ｖ１を出力可能な状態である。ＯＦＦ状態は、指向性スピーカー９が指向性音声Ｖ１を出力不可能な状態である。
【００４３】
詳細は後述するが、スピーカー設定部２０は、ユーザー操作に基づいて、複数の指向性スピーカー９に含まれるｋ個の指向性スピーカー９の状態を、ＯＮ状態またはＯＦＦ状態に設定する機能を有する。「ｋ」は、１以上の整数である。
【００４４】
また、詳細は後述するが、スピーカー設定部２０は、ユーザー操作およびユーザーＵ１の位置の両方または一方に基づいて、複数の指向性スピーカー９の各々の状態を、ＯＮ状態またはＯＦＦ状態に設定する。
【００４５】
また、詳細は後述するが、複数の指向性スピーカー９のうち特定の指向性スピーカー９の状態をＯＮ状態またはＯＦＦ状態に設定するためのユーザー操作を操作部１０が受付けた場合、スピーカー設定部２０は、当該特定の指向性スピーカー９の状態をＯＮ状態またはＯＦＦ状態に設定する。
【００４６】
スピーカー設定部２０は、セレクター１３と、スイッチ部１４とを含む。詳細は後述するが、セレクター１３は、操作信号および位置情報の両方または一方に基づいて、スイッチ部１４を制御するための選択信号ＳＬを、当該スイッチ部１４へ送信する。
【００４７】
音声出力部８は、メイン制御部５から受信した音声信号を音声出力信号Ｖｓｇに変換し、当該音声出力信号Ｖｓｇをスイッチ部１４へ送信する。音声出力信号Ｖｓｇは、指向性スピーカー９が使用可能なフォーマット形式の信号である。なお、音声出力部８は、必要に応じて、音声出力信号Ｖｓｇの出力調整（例えば、音量調整）も行う。
【００４８】
詳細は後述するが、スイッチ部１４は、セレクター１３から受信した選択信号ＳＬに基づいて、複数の指向性スピーカー９を個別に制御する。
【００４９】
図４は、実施の形態１に係るスイッチ部１４の構成を示す図である。スイッチ部１４は、一例として、８個のスイッチ２を含む。８個のスイッチ２の各々には、信号線を介して、音声出力信号Ｖｓｇおよび選択信号ＳＬが入力される。スイッチ部１４は、選択信号ＳＬに基づいて、８個のスイッチ２を個別に制御する。スイッチ部１４の各スイッチ２は、選択信号ＳＬに基づいて、開状態または閉状態に設定される。
【００５０】
スイッチ２は、指向性スピーカー９毎に設けられている。すなわち、８個のスイッチ２は、それぞれ、８個の指向性スピーカー９に対応付けられている。具体的には、８個のスイッチ２は、それぞれ、８個の指向性スピーカー９に接続されている。なお、スイッチ部１４に含まれるスイッチ２の数は、８に限定されず、２から７のいずれかの値、または、９以上であってもよい。
【００５１】
開状態のスイッチ２は、音声出力信号Ｖｓｇを伝達する信号線と、当該スイッチ２に接続されている指向性スピーカー９とを接続しない。閉状態のスイッチ２は、音声出力信号Ｖｓｇを伝達する信号線と、当該スイッチ２に接続されている指向性スピーカー９とを接続する。
【００５２】
閉状態のスイッチ２は、音声出力信号Ｖｓｇを、当該スイッチ２に接続されている指向性スピーカー９へ送信する。スイッチ２の状態が閉状態に設定された場合、当該スイッチ２に対応する指向性スピーカー９の状態は、ＯＮ状態になる。ＯＮ状態の指向性スピーカー９は、対応するスイッチ２から受信する音声出力信号Ｖｓｇに基づく音声（指向性音声Ｖ１）を出力する。一方、スイッチ２の状態が開状態に設定された場合、当該スイッチ２に対応する指向性スピーカー９の状態は、ＯＦＦ状態になる。
【００５３】
以下においては、スイッチ部１４に含まれる８個のスイッチ２を、それぞれ、スイッチ２ａ，２ｂ，２ｃ，２ｄ，２ｅ，２ｆ，２ｇ，２ｈともいう。スイッチ２ａ，２ｂ，２ｃ，２ｄ，２ｅ，２ｆ，２ｇ，２ｈは、それぞれ、指向性スピーカー９ａ，９ｂ，９ｃ，９ｄ，９ｅ，９ｆ，９ｇ，９ｈに接続されている。
【００５４】
例えば、スイッチ２ｂの状態が閉状態に設定された場合、当該スイッチ２ｂに対応する指向性スピーカー９ｂの状態は、ＯＮ状態になる。ＯＮ状態の指向性スピーカー９ｂは、スイッチ２ｂから受信する音声出力信号Ｖｓｇに基づく音声を出力する。
【００５５】
また、例えば、スイッチ２ｂの状態が開状態に設定された場合、当該スイッチ２ｂに対応する指向性スピーカー９ｂの状態は、ＯＦＦ状態になる。ＯＦＦ状態の指向性スピーカー９ｂは、スイッチ２ｂから受信する音声出力信号Ｖｓｇに基づく音声を出力しない。
【００５６】
なお、図４では、スイッチ部１４の構成として、簡易的に、１本の信号線を選択信号ＳＬが伝達し、指向性スピーカー９毎に１個のスイッチ２を設けた構成が示されるが、この構成に限定されない。スイッチ部１４の構成は、複数の指向性スピーカー９の状態を個別に制御可能な、別の構成であってもよい。
【００５７】
また、スイッチ部１４の各スイッチ２には、当該スイッチ２を識別するためのアドレスがあらかじめ割当てられてもよい。この構成において、セレクター１３が、選択信号ＳＬを使って、スイッチ２を個別に制御してもよい。
【００５８】
次に、映像表示機器１００が行う処理（以下、「音声制御処理」ともいう）について説明する。図５は、実施の形態１に係る音声制御処理のフローチャートである。音声制御処理の一例を分かりやすくするために、以下の前提Ｐｍ１のもとで行われる音声制御処理について説明する。
【００５９】
前提Ｐｍ１では、表示部７が表示するための映像を含む映像信号と、音声信号とを含むコンテンツ信号がメイン制御部５へ継続的に送信されている。当該音声信号は、表示部７が表示するための映像に対応する音声を含む信号である。また、前提Ｐｍ１では、メイン制御部５および映像出力部６が、前述した処理を行うことにより、表示部７が映像を表示している。
【００６０】
また、前提Ｐｍ１では、一例として、８個の指向性スピーカー９の全てから、表示部７が表示している映像に対応する音声（指向性音声Ｖ１）が出力されている。また、前提Ｐｍ１では、図１および図２のように、表示部７が表示する映像と、各指向性スピーカー９から出力される音声とを視聴しているユーザーＵ１が、エリアＡｒ０に含まれる感知エリアＡｒ１内に存在する。また、前提Ｐｍ１では、図２のように、ユーザーＵ１が、エリアＡ３，Ａ４，Ａ５にわたって存在する。
【００６１】
また、前提Ｐｍ１では、指向性スピーカー９を制御するためのユーザー操作は行われない。なお、以下の前提Ｐｍ１における音声制御処理の説明では、表示部７が映像を表示するための処理については説明しない。
【００６２】
前提Ｐｍ１における音声制御処理では、まず、メイン制御部５が、コンテンツ信号を受信する（ステップＳ１）。
【００６３】
次に、音声処理が行われる（ステップＳ２）。音声処理では、メイン制御部５が、受信したコンテンツ信号に対し信号処理を行い、音声信号を取得する。メイン制御部５は、音声信号を、音声出力部８へ送信する。
【００６４】
音声出力部８は、受信した音声信号を音声出力信号Ｖｓｇに変換し、当該音声出力信号Ｖｓｇをスイッチ部１４へ送信する。
【００６５】
次に、位置特定処理が行われる（ステップＳ３）。位置特定処理では、位置特定部３０が、エリアＡｒ０に含まれる感知エリアＡｒ１にユーザーＵ１が存在するか否かを判定する。感知エリアＡｒ１にユーザーＵ１が存在する場合、位置特定部３０は、感知エリアＡｒ１におけるユーザーＵ１の位置を特定する。
【００６６】
より詳細には、位置特定部３０の人感センサーＳｎ１が、感知エリアＡｒ１におけるユーザーＵ１を検出した場合、当該ユーザーＵ１の位置を示す検出信号を、センサー信号処理部１２へ送信する。センサー信号処理部１２は、当該検出信号により、ユーザーＵ１の位置を特定する。センサー信号処理部１２は、ユーザーＵ１の位置を示す位置情報を、セレクター１３へ送信する。
【００６７】
なお、前提Ｐｍ１では、ユーザーＵ１が、エリアＡｒ０に含まれる感知エリアＡｒ１内に存在する。そのため、前提Ｐｍ１における位置特定処理では、人感センサーＳｎ１が、感知エリアＡｒ１におけるユーザーＵ１を検出し、当該ユーザーＵ１の位置を示す検出信号を、センサー信号処理部１２へ送信する。センサー信号処理部１２は、当該検出信号により、ユーザーＵ１の位置を特定する。センサー信号処理部１２は、ユーザーＵ１の位置を示す位置情報を、セレクター１３へ送信する。なお、送信される位置情報は、ユーザーＵ１の位置として、エリアＡ３，Ａ４，Ａ５を示す。
【００６８】
なお、ユーザーＵ１が移動しても、当該移動に合わせて当該ユーザーＵ１を追尾して認識できることが望ましい。そのため、ユーザーＵ１の位置の特定は、例えば、以下の公知な方法Ａにより行なわれる。
【００６９】
方法Ａは、以下の技術Ａを利用した方法である。技術Ａは、文献情報（青木正喜、他１名、「車載赤外線カメラを用いた歩行者検出」、情報処理学会論文誌：コンピュータビジョンとイメージメディア、ｖｏｌ．４７  Ｎｏ．ＳＩＧ  ５（ＣＶＩＭ  １３）、２００６年３月）で特定される文献の技術である。
【００７０】
また、ユーザーＵ１の位置の特定は、例えば、以下の公知な方法Ｂにより行なわれてもよい。方法Ｂは、以下の技術Ｂを利用した方法である。技術Ｂは、特開２００１−０２８０５０号公報に開示されている技術である。
【００７１】
次に、ユーザーの位置が特定されたか否かが判定される（ステップＳ３Ａ）。具体的には、セレクター１３が、位置情報を位置特定部３０（センサー信号処理部１２）から受信したか否かが判定される。ステップＳ３ＡにおいてＹＥＳならば、処理はステップＳ４へ移行する。一方、ステップＳ３ＡにおいおてＮＯならば、処理はステップＳ５へ移行する。
【００７２】
なお、前提Ｐｍ１では、前述の位置特定処理により、位置情報が、セレクター１３へ送信される。そのため、前提Ｐｍ１におけるステップＳ３ＡではＹＥＳと判定され、処理はステップＳ４へ移行する。
【００７３】
ステップＳ４では、スピーカー制御処理Ａが行われる。スピーカー制御処理Ａでは、スピーカー設定部２０が、複数の指向性スピーカー９のうち、特定されたユーザーＵ１の位置に対応する指向性スピーカー９の状態をＯＮ状態に設定し、当該複数の指向性スピーカー９のうち、特定されたユーザーＵ１の位置に対応しない指向性スピーカーの状態をＯＦＦ状態に設定する。すなわち、スピーカー設定部２０は、特定されたユーザーＵ１の位置に基づいて、複数の指向性スピーカー９の各々の状態を、ＯＮ状態またはＯＦＦ状態に設定する。
【００７４】
具体的には、スピーカー制御処理Ａでは、まず、セレクター１３が、ユーザーＵ１が存在する位置を含むエリアに音声を出力可能な指向性スピーカー９を選択する。すなわち、セレクター１３は、受信した位置情報が示すエリアに音声を出力可能な指向性スピーカー９を選択する。
【００７５】
次に、セレクター１３は、選択した指向性スピーカー９のみの状態をＯＮ状態に設定するための選択信号ＳＬを、スイッチ部１４へ送信する。当該選択信号ＳＬは、音声を出力する必要がある指向性スピーカー９の状態をＯＮ状態に設定し、音声を出力する必要がない指向性スピーカー９の状態をＯＦＦ状態に設定するための信号である。
【００７６】
なお、前提Ｐｍ１では、図２のように、ユーザーＵ１が、エリアＡ３，Ａ４，Ａ５にわたって存在する。そのため、前提Ｐｍ１におけるスピーカー制御処理Ａでは、セレクター１３が、エリアＡ３，Ａ４，Ａ５にそれぞれ対応する指向性スピーカー９ｃ，９ｄ，９ｅを選択する。次に、セレクター１３は、指向性スピーカー９ｃ，９ｄ，９ｅにそれぞれ対応するスイッチ２ｃ，２ｄ，２ｅの状態を閉状態に設定し、かつ、スイッチ２ａ，２ｂ，２ｆ，２ｇ，２ｈの状態を開状態に設定するための選択信号ＳＬを、スイッチ部１４へ送信する。
【００７７】
スイッチ部１４は、受信した選択信号ＳＬに基づいて、スイッチ２ｃ，２ｄ，２ｅの状態を閉状態に設定し、かつ、スイッチ２ａ，２ｂ，２ｆ，２ｇ，２ｈの状態を開状態に設定する。そのため、指向性スピーカー９ｃ，９ｄ，９ｅの状態はＯＮ状態に設定され、指向性スピーカー９ａ，９ｂ，９ｆ，９ｇ，９ｈの状態は、ＯＦＦ状態に設定される。
【００７８】
次に、ユーザー操作があるか否かが判定される（ステップＳ５）。具体的には、セレクター１３が、操作部１０から、ユーザー操作に対応する操作信号を受信したか否かを判定する。ステップＳ５においてＹＥＳならば、処理はステップＳ６へ移行する。一方、ステップＳ５においてＮＯならば、処理はステップＳ７へ移行する。前提Ｐｍ１では、ユーザー操作は行われない。そのため、処理はステップＳ７へ移行する。
【００７９】
ステップＳ７では、音声出力処理が行われる。音声出力処理では、ＯＮ状態の指向性スピーカー９が、音声出力信号Ｖｓｇに基づく指向性音声Ｖ１を出力する。また、ＯＦＦ状態の指向性スピーカー９は、音声出力信号Ｖｓｇに基づく指向性音声Ｖ１を出力しない。
【００８０】
前述したように、前提Ｐｍ１におけるスピーカー制御処理Ａにより、指向性スピーカー９ｃ，９ｄ，９ｅの状態はＯＮ状態に設定され、指向性スピーカー９ａ，９ｂ，９ｆ，９ｇ，９ｈの状態は、ＯＦＦ状態に設定される。
【００８１】
そのため、前提Ｐｍ１における音声出力処理では、ＯＮ状態の指向性スピーカー９ｃ，９ｄ，９ｅは、それぞれ、エリアＡ３，Ａ４，Ａ５に対し、音声出力信号Ｖｓｇに基づく指向性音声Ｖ１を出力する。なお、ＯＦＦ状態の指向性スピーカー９ａ，９ｂ，９ｆ，９ｇ，９ｈは、指向性音声Ｖ１を出力しない。
【００８２】
なお、音声制御処理は、繰り返し行なわれる。そのため、ユーザーＵ１の位置が変化しない場合、指向性音声Ｖ１を出力する指向性スピーカー９は変化しない。
【００８３】
以上のように、前提Ｐｍ１における音声制御処理が行われることにより、ユーザーＵ１が存在するエリアのみに音声（指向性音声Ｖ１）を出力することができる。
【００８４】
次に、音声制御処理の別の例を分かりやすくするために、以下の前提Ｐｍ２のもとで行われる音声制御処理について説明する。
【００８５】
前提Ｐｍ２では、前提Ｐｍ１と同様に、表示部７が表示するための映像を含む映像信号と、音声信号とを含むコンテンツ信号がメイン制御部５へ継続的に送信されている。また、前提Ｐｍ２では、前提Ｐｍ１と同様に、メイン制御部５および映像出力部６が、前述した処理を行うことにより、表示部７が映像を表示している。
【００８６】
また、前提Ｐｍ２では、図６のように、表示部７が表示する映像を視聴しているユーザーＵ１が、エリアＡｒ０に含まれる感知エリアＡｒ１内に存在する。また、前提Ｐｍ２では、エリアＡｒ０において、ユーザーＵ１は寝転んでいる。すなわち、ユーザーＵ１の体勢が図２と異なる。また、前提Ｐｍ２では、ユーザーＵ１が、エリアＡ１，Ａ２，Ａ３，Ａ４，Ａ５，Ａ６，Ａ７にわたって存在する。
【００８７】
また、前提Ｐｍ２では、後述の処理が行われることにより、ユーザーＵ１の位置に対応する指向性スピーカー９から音声が出力された後に、ユーザーＵ１は、本体スイッチ（図示せず）またはリモコン等に対し、ユーザー操作を行なう。当該ユーザー操作は、指向性スピーカー９ａ，９ｂ，９ｃ，９ｄ，９ｅの状態を、ＯＦＦ状態に設定するための操作である。すなわち、ユーザー操作は、スイッチ２ａ，２ｂ，２ｃ，２ｄ，２ｅの状態を、開状態に設定するための操作でもある。
【００８８】
上記の指向性スピーカー９ａ，９ｂ，９ｃ，９ｄ，９ｅは、それぞれ、エリアＡ１，Ａ２，Ａ３，Ａ４，Ａ５に指向性音声Ｖ１を出力可能なスピーカーである。エリアＡ１，Ａ２，Ａ３，Ａ４，Ａ５は、図６のユーザーＵ１の耳の位置から遠いエリアであって、指向性音声Ｖ１の出力が不要なエリアである。
【００８９】
なお、以下の前提Ｐｍ２における音声制御処理の説明では、表示部７が映像を表示するための処理については説明しない。また、前提Ｐｍ２における音声制御処理において、前述の前提Ｐｍ１における音声制御処理で行われる処理と同じ処理は、簡略的に説明する。
【００９０】
前提Ｐｍ２における音声制御処理では、前提Ｐｍ１における音声制御処理と同様に、ステップＳ１，Ｓ２の処理が行われる。
【００９１】
次に、前提Ｐｍ２における位置特定処理（ステップＳ３）では、位置特定部３０が、感知エリアＡｒ１におけるユーザーＵ１の位置を特定する。具体的には、人感センサーＳｎ１が、感知エリアＡｒ１におけるユーザーＵ１を検出し、当該ユーザーＵ１の位置を示す検出信号を、センサー信号処理部１２へ送信する。センサー信号処理部１２は、当該検出信号により、ユーザーＵ１の位置を特定する。センサー信号処理部１２は、ユーザーＵ１の位置を示す位置情報を、セレクター１３へ送信する。なお、送信される位置情報は、ユーザーＵ１の位置として、エリアＡ１，Ａ２，Ａ３，Ａ４，Ａ５，Ａ６，Ａ７を示す。
【００９２】
次に、ステップＳ３ＡでＹＥＳと判定され、ステップＳ４のスピーカー制御処理Ａが行なわれる。
【００９３】
前提Ｐｍ２におけるスピーカー制御処理Ａでは、前提Ｐｍ１におけるスピーカー制御処理Ａと同様な処理が行われる。具体的には、まず、セレクター１３が、エリアＡ１，Ａ２，Ａ３，Ａ４，Ａ５，Ａ６，Ａ７にそれぞれ対応する指向性スピーカー９ａ，９ｂ，９ｃ，９ｄ，９ｅ，９ｆ，９ｇを選択する。
【００９４】
次に、セレクター１３は、選択信号ＳＬを、スイッチ部１４へ送信する。当該選択信号ＳＬは、指向性スピーカー９ａ，９ｂ，９ｃ，９ｄ，９ｅ，９ｆ，９ｇにそれぞれ対応するスイッチ２ａ，２ｂ，２ｃ，２ｄ，２ｅ，２ｆ，２ｇの状態を閉状態に設定し、かつ、スイッチ２ｈの状態を開状態に設定するための選択信号である。
【００９５】
スイッチ部１４は、受信した選択信号ＳＬに基づいて、スイッチ２ａ，２ｂ，２ｃ，２ｄ，２ｅ，２ｆ，２ｇの状態を閉状態に設定し、かつ、スイッチ２ｈの状態を開状態に設定する。したがって、指向性スピーカー９ａ，９ｂ，９ｃ，９ｄ，９ｅ，９ｆ，９ｇの状態はＯＮ状態に設定され、指向性スピーカー９ｈの状態は、ＯＦＦ状態に設定される。
【００９６】
次に、ユーザー操作があるか否かが判定される（ステップＳ５）。この段階では、前述のユーザー操作がまだ行われていないため（ステップＳ５でＮＯ）、処理はステップＳ７へ移行し、音声出力処理が行われる。
【００９７】
前述したように、前提Ｐｍ２におけるスピーカー制御処理Ａにより、指向性スピーカー９ａ，９ｂ，９ｃ，９ｄ，９ｅ，９ｆ，９ｇの状態はＯＮ状態に設定され、指向性スピーカー９ｈの状態は、ＯＦＦ状態に設定される。ＯＮ状態に設定された指向性スピーカー９ａ，９ｂ，９ｃ，９ｄ，９ｅ，９ｆ，９ｇは、前提Ｐｍ２における、ユーザーＵ１の位置に対応するスピーカーである。
【００９８】
そのため、前提Ｐｍ２における音声出力処理では、ＯＮ状態の指向性スピーカー９ａ，９ｂ，９ｃ，９ｄ，９ｅ，９ｆ，９ｇは、それぞれ、エリアＡ１，Ａ２，Ａ３，Ａ４，Ａ５，Ａ６，Ａ７に対し、音声出力信号Ｖｓｇに基づく指向性音声Ｖ１を出力する。なお、ＯＦＦ状態の指向性スピーカー９ｈは、指向性音声Ｖ１を出力しない。
【００９９】
以上のように、前提Ｐｍ２における音声制御処理が行われることにより、ユーザーＵ１の位置に対応する指向性スピーカー９の状態がＯＮ状態に設定される。なお、音声制御処理は、繰り返し行なわれる。
【０１００】
そして、ユーザーＵ１の位置に対応する指向性スピーカー９の状態がＯＮ状態に設定された後に、ユーザーＵ１は、前提Ｐｍ２における前述のユーザー操作を行なう。当該ユーザー操作は、指向性スピーカー９ａ，９ｂ，９ｃ，９ｄ，９ｅの状態を、ＯＦＦ状態に設定するための操作である。すなわち、当該ユーザー操作は、複数の指向性スピーカー９のうち特定の指向性スピーカー９の状態をＯＦＦ状態に設定するための操作である。なお、当該ユーザー操作は、スイッチ２ａ，２ｂ，２ｃ，２ｄ，２ｅの状態を、開状態に設定するための操作でもある。
【０１０１】
ユーザー操作が行なわれると、当該ユーザー操作を操作部１０が受付ける。この場合、操作部１０は、当該ユーザー操作に対応する操作信号をスピーカー設定部２０のセレクター１３へ送信する。当該操作信号は、指向性スピーカー９ａ，９ｂ，９ｃ，９ｄ，９ｅの状態を、ＯＦＦ状態に設定するための信号である。すなわち、当該操作信号は、スイッチ２ａ，２ｂ，２ｃ，２ｄ，２ｅの状態を、開状態に設定するための信号である。これにより、セレクター１３は、ユーザー操作に対応する操作信号を受信する。
【０１０２】
なお、音声制御処理のステップＳ５では、前述したように、セレクター１３が、操作部１０から、ユーザー操作に対応する操作信号を受信したか否かを判定する。この段階では、前提Ｐｍ２における音声制御処理のステップＳ５においてＹＥＳと判定され、処理はステップＳ６へ移行する。
【０１０３】
ステップＳ６では、スピーカー制御処理Ｂが行われる。スピーカー制御処理Ｂでは、スピーカー設定部２０は、ユーザー操作に対応する操作信号に基づいて、ユーザー操作で指定される特定の指向性スピーカー９の状態をＯＮ状態またはＯＦＦ状態に設定する。
【０１０４】
具体的には、スピーカー制御処理Ｂでは、まず、セレクター１３が、受信した操作信号に基づいた選択信号ＳＬを、スイッチ部１４へ送信する。当該選択信号ＳＬは、操作部１０が受付けたユーザー操作を実行するための信号である。当該選択信号ＳＬは、複数の指向性スピーカー９のうち特定の指向性スピーカー９の状態をＯＦＦ状態またはＯＮ状態に設定するための信号である。
【０１０５】
前提Ｐｍ２におけるスピーカー制御処理Ｂでは、セレクター１３が、受信した操作信号に基づいた選択信号ＳＬを、スイッチ部１４へ送信する。当該選択信号ＳＬは、スイッチ２ａ，２ｂ，２ｃ，２ｄ，２ｅの状態を、開状態に設定するための信号である。
【０１０６】
スイッチ部１４は、受信した選択信号ＳＬに基づいて、スイッチ２ａ，２ｂ，２ｃ，２ｄ，２ｅの状態を開状態に設定する。そのため、指向性スピーカー９ａ，９ｂ，９ｃ，９ｄ，９ｅの状態は、ＯＦＦ状態に設定される。これにより、指向性スピーカー９ｆ，９ｇのみの状態がＯＮ状態である（図６参照）。
【０１０７】
これにより、ユーザー操作が行われた後の、前提Ｐｍ２における音声出力処理では、ＯＮ状態の指向性スピーカー９ｆ，９ｇは、それぞれ、エリアＡ６，Ａ７に対し、音声出力信号Ｖｓｇに基づく指向性音声Ｖ１を出力する。なお、ＯＦＦ状態の指向性スピーカー９ａ，９ｂ，９ｃ，９ｄ，９ｅ，９ｈは、指向性音声Ｖ１を出力しない。
【０１０８】
以上のように、前提Ｐｍ２における音声制御処理が行なわれることにより、スピーカー設定部２０は、位置特定部３０により特定されたユーザーＵ１の位置とユーザー操作とに基づいて、複数の指向性スピーカー９の各々の状態を、ＯＮ状態またはＯＦＦ状態に設定する。
【０１０９】
なお、上記のユーザー操作は、複数の指向性スピーカー９のうち特定の指向性スピーカー９の状態をＯＦＦ状態に設定するための操作であったがこれに限定されない。ユーザー操作は、複数の指向性スピーカー９の一部の状態をＯＮ状態に設定する操作であってもよい。また、ユーザー操作は、複数の指向性スピーカー９の一部の状態をＯＮ状態に設定し、複数の指向性スピーカー９の別の一部の状態をＯＦＦ状態に設定する操作であってもよい。
【０１１０】
このようなユーザー操作が行なわた場合、音声制御処理のステップＳ６のスピーカー制御処理Ｂでは、スピーカー設定部２０は、ユーザー操作に対応する操作信号に基づいて、ユーザー操作で指定される特定の指向性スピーカー９の状態をＯＮ状態またはＯＦＦ状態に設定する。
【０１１１】
以上説明したように、本実施の形態によれば、操作部１０は、ユーザーＵ１による操作であるユーザー操作を受付ける。複数の指向性スピーカー９の各々は、指向性音声Ｖ１を画面７ｓと対向するエリアへ出力する機能を有する。複数の指向性スピーカー９がそれぞれ出力する複数の指向性音声Ｖ１が互いに干渉しないように、当該複数の指向性スピーカー９は配置されている。各指向性スピーカー９の状態には、当該指向性スピーカー９が指向性音声Ｖ１を出力可能なＯＮ状態と、当該指向性スピーカー９が当該指向性音声Ｖ１を出力不可能なＯＦＦ状態とが存在する。スピーカー設定部２０は、ユーザー操作に基づいて、複数の指向性スピーカー９に含まれるｋ個の指向性スピーカー９の状態を、ＯＮ状態またはＯＦＦ状態に設定する機能を有する。
【０１１２】
これにより、ユーザー操作に基づいて、複数の指向性スピーカーに含まれるｋ個の指向性スピーカーの状態を、ＯＮ状態またはＯＦＦ状態に設定することができる。そのため、例えば、複数の指向性スピーカーに含まれる特定の指向性スピーカーの状態がＯＦＦ状態に設定された場合、当該特定の指向性スピーカは、指向性音声が出力不可能となる。
【０１１３】
したがって、複数の指向性スピーカーが音声を出力する対象となる領域が変化する。その結果、ユーザーによる操作により、複数の指向性スピーカーが音声を出力する対象となる領域を変更することができる。
【０１１４】
また、本実施の形態によれば、スピーカー設定部２０（セレクター１３、スイッチ部１４）は、操作部１０が受付けたユーザー操作に基づいて、複数の指向性スピーカー９を個別に制御する。そのため、ユーザー操作によって、ユーザーが存在しているエリアにのみ音声を出力することができるという効果が得られる。
【０１１５】
また、本実施の形態によれば、位置特定部３０は、ユーザーＵ１の位置を特定する。スピーカー設定部２０は、特定されたユーザーＵ１の位置に基づいて、複数の指向性スピーカー９の各々の状態を、ＯＮ状態またはＯＦＦ状態に設定する。そのため、ユーザーＵ１が存在しているエリアにのみ音声を出力することができるという効果が得られる。
【０１１６】
なお、前述の関連構成Ａで使用されている指向性スピーカーは、指向性を有する音声を、特定の方向のみにしか出力しない。そのため、指向性スピーカーが音声を出力する方向から外れた位置にユーザーが存在している場合、当該ユーザーは音声を聞くことができないという問題点があった。
【０１１７】
そこで、本実施の形態の映像表示機器１００は、上記の効果を奏するための構成を有する。そのため、本実施の形態の映像表示機器１００により、上記の問題点を解決することができる。
【０１１８】
＜変形例１＞
本変形例の構成は、実施の形態１に適用される。本変形例における構成は、ユーザーＵ１が移動した状況に対応する構成である。
【０１１９】
本変形例における構成では、時間ｔ１毎に、前述の図５の位置特定処理が繰り返し行われる。時間ｔ１は、予め設定された時間である。時間ｔ１は、例えば、１秒から６０秒までの範囲に含まれる時間である。
【０１２０】
これにより、本変形例における構成では、感知エリアＡｒ１にユーザーＵ１が存在する場合、位置特定部３０が、時間ｔ１毎に感知エリアＡｒ１におけるユーザーＵ１の位置を特定する。なお、感知エリアＡｒ１におけるユーザーＵ１の位置を特定するための詳細な処理は、ステップＳ３の位置特定処理において、人感センサーＳｎ１およびセンサー信号処理部１２が行う処理と同様である。そのため、ユーザーＵ１の位置を特定するための詳細な処理の説明は省略する。
【０１２１】
また、スピーカー設定部２０は、位置特定部３０によりユーザーＵ１の位置が特定される度に、特定された当該ユーザーＵ１の位置に基づいて、複数の指向性スピーカー９の各々の状態を、ＯＮ状態またはＯＦＦ状態に設定する。
【０１２２】
なお、ユーザーＵ１の位置に基づいて、指向性スピーカー９の状態をＯＮ状態またはＯＦＦ状態に設定するための詳細な処理の説明は、ステップＳ４のスピーカー制御処理Ａにおいて、セレクター１３およびスイッチ部１４が行う処理と同様である。そのため、指向性スピーカー９の状態をＯＮ状態またはＯＦＦ状態に設定するための詳細な処理の説明は省略する。
【０１２３】
ここで、例えば、感知エリアＡｒ１内において、ユーザーＵ１が移動したと仮定する。この場合、セレクター１３およびスイッチ部１４は、センサー信号処理部１２により特定された、移動後のユーザーＵ１の位置（エリア）に対応する指向性スピーカー９の状態をＯＮ状態に設定するための処理を、スピーカー制御処理Ａにおける処理と同様に行う。
【０１２４】
その後、前述のステップＳ７の音声出力処理が行われる。これにより、移動後のユーザーＵ１の位置（エリア）に対応する指向性スピーカー９が、指向性音声Ｖ１を出力する。
【０１２５】
以上説明したように、本変形例によれば、位置特定部３０が、時間ｔ１毎に感知エリアＡｒ１におけるユーザーＵ１の位置を特定する。スピーカー設定部２０は、位置特定部３０によりユーザーＵ１の位置が特定される度に、特定された当該ユーザーＵ１の位置に基づいて、複数の指向性スピーカー９の各々の状態を、ＯＮ状態またはＯＦＦ状態に設定する。
【０１２６】
これにより、仮に、ユーザーＵ１が移動しても、当該移動に合わせて、ＯＮ状態に設定される指向性スピーカー９が変更される。すなわち、指向性音声Ｖ１が出力されるエリアが、ユーザーＵ１の移動にあわせて変更される。そのため、ユーザーＵ１が存在しているエリアにのみに、音声（指向性音声Ｖ１）を出力し続けることができる。
【０１２７】
なお、本変形例では、ユーザー操作も考慮されて、処理が行われてもよい。例えば、感知エリアＡｒ１内においてユーザーＵ１が移動した後、図６と同様に、ユーザーＵ１が特定の指向性スピーカー９の状態を、ＯＦＦ状態に設定するためのユーザー操作を行ったと仮定する。
【０１２８】
この場合、操作部１０が当該ユーザー操作に対応する操作信号をスピーカー設定部２０のセレクター１３へ送信する。そして、前述した、前提Ｐｍ２におけるスピーカー制御処理Ｂと同様な処理が行われる。すなわち、スピーカー設定部２０は、ユーザー操作に基づいて、特定の指向性スピーカー９の状態をＯＦＦ状態に設定する。なお、特定の指向性スピーカー９の状態をＯＦＦ状態に設定するための詳細な処理は、スピーカー制御処理Ｂにおいてセレクター１３およびスイッチ部１４が行う処理と同様である。そのため、特定の指向性スピーカー９の状態をＯＦＦ状態に設定するための詳細な処理の説明は省略する。
【０１２９】
このように、本変形例において、ユーザー操作も考慮される構成では、位置特定部３０が、時間ｔ１毎に感知エリアＡｒ１におけるユーザーＵ１の位置を特定する。そして、スピーカー設定部２０は、位置特定部３０によりユーザーＵ１の位置が特定される度に、特定された当該ユーザーＵ１の位置と、ユーザー操作とに基づいて、複数の指向性スピーカー９の各々の状態を、ＯＮ状態またはＯＦＦ状態に設定する。
【０１３０】
（機能ブロック図）
図７は、映像表示機器ＢＬ１０の特徴的な機能構成を示すブロック図である。映像表示機器ＢＬ１０は、映像表示機器１００に相当する。つまり、図７は、映像表示機器ＢＬ１０の有する機能のうち、本技術に関わる主要な機能を示すブロック図である。
【０１３１】
映像表示機器ＢＬ１０は、映像を表示するための画面を有する。映像表示機器ＢＬ１０は、表示部ＢＬ１と、複数の指向性スピーカーＢＬ２と、操作部ＢＬ３とを備える。
【０１３２】
表示部ＢＬ１は、前記画面に映像を表示する。表示部ＢＬ１は、表示部７に相当する。操作部ＢＬ３は、複数の指向性スピーカーＢＬ２の一部または全てを制御するための、ユーザーによる操作であるユーザー操作を受付ける。操作部ＢＬ３は、操作部１０に相当する。
【０１３３】
複数の指向性スピーカーＢＬ２の各々は、指向性を有する音声である指向性音声を前記画面と対向するエリアへ出力する機能を有する。指向性スピーカーＢＬ２は、指向性スピーカー９に相当する。また、複数の指向性スピーカーＢＬ２がそれぞれ出力する複数の前記指向性音声が互いに干渉しないように、当該複数の指向性スピーカーＢＬ２は配置されている。各指向性スピーカーＢＬ２の状態には、当該指向性スピーカーＢＬ２が前記指向性音声を出力可能なＯＮ状態と、当該指向性スピーカーＢＬ２が当該指向性音声を出力不可能なＯＦＦ状態とが存在する。
【０１３４】
映像表示機器ＢＬ１０は、機能的には、さらに、スピーカー設定部ＢＬ４を備える。スピーカー設定部ＢＬ４は、前記ユーザー操作に基づいて、複数の指向性スピーカーＢＬ２に含まれるｋ（１以上の整数）個の指向性スピーカーＢＬ２の状態を、前記ＯＮ状態または前記ＯＦＦ状態に設定する機能を有する。スピーカー設定部ＢＬ４は、スピーカー設定部２０に相当する。
【０１３５】
（その他の変形例）
以上、本発明に係る映像表示機器について、実施の形態に基づいて説明したが、本発明は、当該実施の形態に限定されるものではない。本発明の主旨を逸脱しない範囲内で、当業者が思いつく変形を実施の形態に施したものも、本発明に含まれる。つまり、本発明は、その発明の範囲内において、実施の形態、変形例を自由に組み合わせたり、実施の形態、変形例を適宜、変形、省略することが可能である。
【０１３６】
また、映像表示機器１００は、図で示される全ての構成要素を含まなくてもよい。すなわち、映像表示機器１００は、本技術の効果を実現できる最小限の構成要素のみを含めばよい。
【０１３７】
また、スピーカー設定部２０は、セレクター１３およびスイッチ部１４で構成されることに限定されない。スピーカー設定部２０は、セレクター１３およびスイッチ部１４の両方の機能を有する１つの構成要素で実現されてもよい。
【０１３８】
また、位置特定部３０は、人感センサーＳｎ１およびセンサー信号処理部１２で構成されることに限定されない。位置特定部３０は、人感センサーＳｎ１およびセンサー信号処理部１２の両方の機能を有する１つの構成要素で実現されてもよい。
【０１３９】
また、映像表示機器１００に含まれる、スピーカー設定部２０の機能は、処理回路により実現されてもよい。
【０１４０】
当該処理回路は、前記ユーザー操作に基づいて、前記複数の指向性スピーカーに含まれるｋ（１以上の整数）個の指向性スピーカーの状態を、前記ＯＮ状態または前記ＯＦＦ状態に設定する機能を有する回路である。
【０１４１】
処理回路は、専用のハードウエアであってよい。また、処理回路は、メモリに格納されるプログラムを実行するプロセッサであってもよい。当該プロセッサは、例えば、ＣＰＵ（Central Processing Unit）、中央処理装置、演算装置、マイクロプロセッサ、マイクロコンピュータ、ＤＳＰ（Digital Signal Processor）等である。
【０１４２】
以下においては、処理回路が専用のハードウエアである構成を、「構成Ｃｓ１」ともいう。また、以下においては、処理回路が、プロセッサである構成を、「構成Ｃｓ２」ともいう。
【０１４３】
構成Ｃｓ１では、処理回路は、例えば、単一回路、複合回路、プログラム化されたプロセッサ、並列プログラム化されたプロセッサ、ＡＳＩＣ（Application Specific Integrated Circuit）、ＦＰＧＡ（Field Programmable Gate Array）、またはこれらを組み合わせたものが該当する。スピーカー設定部２０の機能は、１つの処理回路で実現されてもよい。
【０１４４】
なお、映像表示機器１００に含まれる各構成要素の全てまたは一部を、ハードウエアで示した構成は、例えば、以下のようになる。以下においては、映像表示機器１００に含まれる各構成要素の全てまたは一部を、ハードウエアで示した映像表示機器を、「映像表示機器ｈｄ１０」ともいう。
【０１４５】
図８は、映像表示機器ｈｄ１０のハードウエア構成図である。図８を参照して、映像表示機器ｈｄ１０は、プロセッサｈｄ１と、メモリｈｄ２と、複数の指向性スピーカーｈｄ３とを備える。メモリｈｄ２は、例えば、ＲＡＭ（Random Access Memory）、ＲＯＭ（Read Only Memory）、フラッシュメモリ、ＥＰＲＯＭ、ＥＥＰＲＯＭ等の、不揮発性または揮発性の半導体メモリである。また、例えば、メモリｈｄ２は、磁気ディスク、フレキシブルディスク、光ディスク、コンパクトディスク、ミニディスク、ＤＶＤ等であってもよい。また、メモリｈｄ２は、今後使用されるあらゆる記憶媒体であってもよい。
【０１４６】
各指向性スピーカーｈｄ３は、指向性スピーカー９に相当する。
【０１４７】
構成Ｃｓ２では、処理回路は、プロセッサｈｄ１である。構成Ｃｓ２では、スピーカー設定部２０の機能は、ソフトウエア、ファームウエア、またはソフトウエアとファームウエアとの組み合わせにより実現される。ソフトウエアまたはファームウエアは、プログラムとして記述され、メモリｈｄ２に格納される。
【０１４８】
また、構成Ｃｓ２では、処理回路（プロセッサｈｄ１）が、メモリｈｄ２に記憶されたプログラムを読み出して、当該プログラムを実行することにより、スピーカー設定部２０の機能は実現される。すなわち、メモリｈｄ２は、以下のプログラムを格納する。
【０１４９】
当該プログラムは、前記ユーザー操作に基づいて、前記複数の指向性スピーカーｈｄ３に含まれるｋ（１以上の整数）個の指向性スピーカーｈｄ３の状態を、前記ＯＮ状態または前記ＯＦＦ状態に設定するステップを、処理回路（プロセッサｈｄ１）に実行させるためのプログラムである。
【０１５０】
また、当該プログラムは、スピーカー設定部２０が行う処理の手順、当該処理を実行する方法等をコンピュータに実行させるものでもある。
【０１５１】
以上の構成Ｃｓ１および構成Ｃｓ２のように、処理回路は、ハードウエア、ソフトウエア、ファームウエア、またはこれらの組み合わせによって、上述の各機能を実現することができる。
【０１５２】
また、本技術は、映像表示機器１００が備える特徴的な構成部の動作をステップとする音声制御方法として実現してもよい。当該音声制御方法は、例えば、図５の処理に相当する。
【０１５３】
また、本技術は、そのような音声制御方法に含まれる各ステップをコンピュータに実行させるプログラムとして実現してもよい。また、本技術は、そのようなプログラムを格納するコンピュータ読み取り可能な記録媒体として実現されてもよい。また、当該プログラムは、インターネット等の伝送媒体を介して配信されてもよい。
【０１５４】
上記実施の形態および変形例で用いた全ての数値は、本技術を具体的に説明するための一例の数値である。すなわち、本技術は、上記実施の形態で用いた各数値に制限されない。
【０１５５】
なお、本発明は、その発明の範囲内において、実施の形態、変形例を自由に組み合わせたり、実施の形態、変形例を適宜、変形、省略することが可能である。
【符号の説明】
【０１５６】
７，ＢＬ１  表示部、９，９ａ，９ｂ，９ｃ，９ｄ，９ｅ，９ｆ，９ｇ，９ｈ，ＢＬ２，ｈｄ３  指向性スピーカー、１０，ＢＬ３  操作部、１２  センサー信号処理部、１３  セレクター、１４  スイッチ部、２０，ＢＬ４  スピーカー設定部、３０  位置特定部、１００，ＢＬ１０，ｈｄ１０  映像表示機器、Ｓｎ１  人感センサー。
【図１】
2020161939.tif 000003
【図２】
2020161939.tif 000004
【図３】
2020161939.tif 000005
【図４】
2020161939.tif 000006
【図５】
2020161939.tif 000007
【図６】
2020161939.tif 000008
【図７】
2020161939.tif 000009
【図８】
2020161939.tif 000010